(57)【要約】      （修正有） 【課題】置き場所をとらず、使用状態に応じてデジタルカメラを最適な使用状態で載置でき、かつ撮影時に手ぶれが発生しないカメラ置き台の提供。【解決手段】撮影用レンズを備えるカメラ前面と液晶表示部を備えるカメラ後面とを有するデジタルカメラを載置するカメラ置き台１であって、カメラ前面またはカメラ後面が水平面と成す角度が約８０度から５０度、望ましくは約６０度の傾斜角度となるように不動状態で載置するとともに、カメラ下面を把持可能にする開口部１２を形成したカメラ載置部１１、１１と、机上などに置かれる基部１０とを一体的に設ける。【選択図】図３
2005202325.tif 000002
【特許請求の範囲】
【請求項１】
撮影用レンズを備えるカメラ前面と液晶表示部を備えるカメラ後面とを有するデジタルカメラを載置するカメラ置き台であって、
前記カメラ前面または前記カメラ後面が、水平面と成す角度が約８０度から５０度、望ましくは約６０度の傾斜角度となるように不動状態で載置するカメラ載置部と、
前記カメラ載置部を一体的に設け、机上などに置かれる基部とを備えたことを特徴とするカメラ置き台。
【請求項２】
前記基部は、略楕円形であることを特徴とする請求項１に記載のカメラ置き台。
【請求項３】
前記カメラ下面を把持可能にするための開口部を、前記カメラ載置部の前面側にさらに形成したことを特徴とする請求項１または２に記載のカメラ置き台。
【発明の詳細な説明】
【技術分野】
【０００１】
本発明は、デジタルカメラを使用状態に応じて傾斜させて載置するための専用のカメラ置き台に関するものである。
【背景技術】
【０００２】
近年のカメラは銀塩フィルムカメラからデジタルカメラに移行しており、その便利さのために主流になりつつある。このデジタルカメラによれば撮影用レンズを有するカメラ前面と、例えば液晶表示部を配置したカメラ後面と、シャッターを配置したカメラ上面とを露出できれば撮影を行うことができる。
【０００３】
一方、小型カメラのピント調整作業を容易にするために、支持具の保持部で保持しピント調整時に移動量を規制するストッパーにより外れ防止し、可撓性部材によりカメラを所望の位置にセットできるようにした小型カメラ支持装置が提案されている。（特許文献１）
また、撮影レンズを保護する部材を設け、この部材を移動させることにより撮影レンズをカメラ本体内に沈胴させて収納し、バッグなどに入れるときに嵩張らずかつレンズを保護することのできるレンズ付きフィルムカメラも提案されている。（特許文献２）
【特許文献１】特開平０９−００５８７６号公報。
【特許文献２】特開平１１−０８４４６７号公報。
【発明の開示】
【発明が解決しようとする課題】
【０００４】
近年の小型デジタルカメラは、上記の特許文献２に記載されるように撮影レンズを保護するカバーがカメラに内蔵される構成のものが主流であり、撮影レンズを保護する部材を移動させることで撮影用レンズが自動的にカメラ本体内に沈胴されて収納できるので便利なものである。
【０００５】
このようなデジタルカメラを用いて撮影した写真を印刷するためには、卓上に置かれたパソコンに例えばＵＳＢコードを接続し、撮影済み画像データをパソコンに送り、パソコンに接続されたプリンタ装置から写真を出力する。このとき、デジタルカメラの液晶表示部を見ながら所望の写真の印刷操作を行うときには、ユーザはデジタルカメラを手で把持することになる。また、パソコンを使用せずに直にデジタルカメラを接続して印刷を行うことのできるプリンタ装置も販売されている。
【０００６】
また、インターネット接続したパソコンでは例えば自分自身の顔写真をデジタルカメラで撮影することで、相手先に送るが、この場合には、撮影用レンズを自分側に向けた状態で把持してデジタルカメラのシャッター操作で撮影することとなる。このときカメラの手ぶれが発生する危険性が高まる。
【０００７】
このようにしてデジタルカメラを用いるときに、上記の特許文献１に提案されたような小型カメラ支持装置では大掛かり過ぎる。また机上の限られたスペースが占有されてしまう問題がある。
【０００８】
したがって、本発明は上記の問題点に鑑みて成されたものであり、置き場所をとらず、使用状態に応じてデジタルカメラを最適な使用状態で載置でき、かつ撮影時に手ぶれしないカメラ置き台の提供を目的としている。
【課題を解決するための手段】
【０００９】
上述した課題を解決し、目的を達成するために、本発明によれば、撮影用レンズを備えるカメラ前面と液晶表示部を備えるカメラ後面とを有するデジタルカメラを載置するカメラ置き台であって、前記カメラ前面または前記カメラ後面が、水平面と成す角度が約８０度から５０度、望ましくは約６０度の傾斜角度となるように不動状態で載置するカメラ載置部と、前記カメラ載置部を一体的に設けるとともに、机上などに置かれる基部とを備えたことを特徴としている。
【００１０】
また、前記基部は、略楕円形であることを特徴としている。
【００１１】
そして、前記カメラ下面を把持可能にするための開口部を、前記カメラ載置部の前面側にさらに形成したことを特徴としている。
【発明の効果】
【００１２】
本発明によれば、置き場所をとらず、使用状態に応じてデジタルカメラを最適な使用状態で載置でき、かつ撮影時に手ぶれが発生しないカメラ置き台を提供できる。
【発明を実施するための最良の形態】
【００１３】
以下に本発明の好適な一実施形態について、添付図面を参照して説明する。
【００１４】
ここで、以下の実施形態ではカメラとして撮影用レンズを有するカメラ前面と液晶表示部を配置したカメラ後面と、シャッターを配置したカメラ上面とを備えており、望ましくは撮影レンズが３倍光学ズームの場合には沈胴するタイプ、または固定焦点レンズを備えた小型偏平の箱型のデジタルカメラに使用されるカメラ置き台について主に述べる。無論これに限定されず各種形状のデジタルカメラにも使用できることは言うまでもない。
【００１５】
先ず、図１(ａ)はデジタルカメラ２をカメラ前面側から見た外観斜視図、(ｂ)はデジタルカメラ２をカメラ後面側から見た外観斜視図である。
【００１６】
本図において、このデジタルカメラ２は沈胴式または固定焦点の撮影用レンズ６０を有するカメラ前面２ａと、この裏面側において液晶表示部４０を備えたカメラ後面２ｂと、シャッター５０を設けたカメラ上面２ｃとカメラ左面２ｅとカメラ右面２ｆとを設けた偏平箱状に形成されており、胸ポケットなどに入れた状態で収納できるようにして携帯性を良好にしている。また、デジタルカメラ２はカメラ下面２ｄにおいて三脚などに固定される固定用ねじ穴２ｋを設けている。
【００１７】
次に、図２(ａ)は、図１のデジタルカメラ２を置くためのカメラ置き台１の平面図であり、(ｂ)はカメラ置き台１の右側面図である。また、図３はカメラ置き台１の外観斜視図である。
【００１８】
図２と図３において、カメラ置き台１は所定強度を有する樹脂材料から一体射出成型することで品質が安定し、かつ低コストで量産される。このカメラ置き台１には、図２(ｂ)に示すように、カメラ前面またはカメラ後面が水平面と成す角度θが約８０度から５０度であって、望ましくは約６０度の傾斜角度となるようにデジタルカメラ２を不動状態で載置するためのカメラ載置部１１、１１が左右に設けられている。これらの載置部１１からはそれぞれ起立壁部１３、１３が延設されており、これらによりカメラ左面２ｅとカメラ右面２ｆとを移動規制した状態で、デジタルカメラ２を前後左右方向に不動状態にして載置できるようにしている。
【００１９】
以上のようにカメラ載置部１１、１１と起立壁部１３、１３は、デジタルカメラ２の形状如何で決定されることで、専用置き台として準備されるが、デジタルカメラ２のカメラ下面２ｄの面積より大きめにカメラ載置部１１、１１の載置面積を設定するようにして汎用性を持たせ、カメラ載置部１１、１１上に繰り返し使用可能な粘着層などを設けて不動状態に置くようにしても良い。
【００２０】
カメラ載置部１１、１１の間には、カメラ下面２ｄを把持可能にする開口部１２が基部１０に形成されている。図示のようにこの基部１０は開口部１２を前面側に形成した略楕円形であり、デザイン上のアクセントを演出するとともに、机上などに置かれる占有面積が最小であっても安定して置けるように配慮されている。また、方向転換するときまたは取り出すときには、開口部１２の下から指先を入れて上下からデジタルカメラ２を把持することができるので便利となる。
【００２１】
この開口部１２は無くとも良く、また基部１０の形状は長方形ないし円形、多角形などがあり適宜設定されることになるが、机上への当接面については平らに形成される。
【００２２】
図４のカメラ置き台１の使用状態を示す図において、デジタルカメラ２を用いて撮影した写真を印刷するために、卓上に置かれたパソコン１００に例えばＵＳＢコード１０１を介して接続する。その後、印刷用アプリソフトを起動し、デジタルカメラ２をカメラ置き台１上にセットする。以上で撮影済み画像データをパソコンに送る準備が整い、パソコンに接続されたプリンタ装置２０から写真を出力する。このとき、デジタルカメラ２の液晶表示部４０を見ながら所望の写真の印刷操作を行うためには、カメラ後面が傾斜しているので非常に見やすい。
【００２３】
また、インターネット接続したパソコンで自分自身の顔写真をデジタルカメラ２で撮影する場合には、図示のように撮影用レンズ６０を自分側に向けた状態でデジタルカメラ２のシャッター５０を操作して撮影するが、このときカメラの手ぶれが発生する危険性が無くなる。また、パソコンを使用せずにプリンタ装置に対して直にデジタルカメラを接続して印刷を行う場合にもデジタルカメラを安定して保持させて使用することができる。
【図面の簡単な説明】
【００２４】
【図１】(ａ)はデジタルカメラ２をカメラ前面側から見た外観斜視図、(ｂ)はデジタルカメラ２をカメラ後面側から見た外観斜視図である。
【図２】(ａ)はカメラ置き台１の平面図、(ｂ)はカメラ置き台１の右側面図である。
【図３】カメラ置き台１の外観斜視図である。
【図４】カメラ置き台１の使用状態を示す図である。
【符号の説明】
【００２５】
１  カメラ置き台
２  デジタルカメラ
３  固定用ねじ
４  液晶表示部
６  撮影用レンズ
１０  基部
１１  カメラ載置部
１２  開口部
１３  起立壁部
【図１】
2005202325.tif 000003
【図２】
2005202325.tif 000004
【図３】
2005202325.tif 000005
【図４】
2005202325.tif 000006